(57)【要約】【課題】  薬液等が充填された容器本体に対して、容器本体の開口部の封止と肩パーツの装着、開封防止部材及びキャップの装着を同時に行うことができ、且つ肩パーツの外れ防止機構を備えたボトル容器を提供すること。【解決手段】  上部が開口した円筒状の首部２１を備え、容器本体肩部に段部が形成された容器本体２と、前記首部２１の外周面に螺着し、先端に注出口を設けた円筒体３２を上面に備えた肩パーツ３と、前記円筒体３２の外周面に螺着し、注出口開封手段を備えたキャップ４と、前記肩パーツ３と該キャップ４との間に介装される開封防止部材５とからなるボトル容器１であって、前記肩パーツ３下面には突起状の逆転防止部材３８が形成され、この逆転防止部材３８と前記容器肩部の段部が逆転不可方向に当接して逆転防止手段が構成されているボトル容器１。【選択図】  図１
2006193202.tif 000002
【特許請求の範囲】
【請求項１】
少なくとも容器本体、肩パーツ、キャップ、開封防止部材の４つの部材から構成されるボトル容器において、未使用状態では容器本体に肩パーツが螺着し、開封防止部材を介してキャップが螺着されている構成のボトル容器であって、
容器本体は、上部が開口している雄螺旋が形成された円筒状の首部と大径の溶液収容部と該首部と該溶液収容部を連結する肩部とから構成され、該肩部には段部が形成されており、
肩パーツは、外周に雄螺旋、内周に雌螺旋が形成され、先端部に封鎖されている注出口を形成した円筒体と、該円筒体から連続した拡幅部とから構成され、拡幅部の下面に前記肩部の段部に係合する突起状の部材を設け、
キャップは、注出口の封鎖を開口する開封手段と雌螺旋が形成されており、
開封防止部材は、前記開封手段が前記注出口に接触することを防止するスペーサとしての厚さを有し、中央に開口部が形成されたプレート状の短円筒体であることを
特徴とするボトル容器。
【請求項２】
容器本体肩部に形成される段部は、１〜４カ所設けられ、肩パーツの拡幅部下面に設けられる突起状部材は、１〜４個であることを特徴とする請求項１記載のボトル容器。
【請求項３】
容器本体、肩パーツ、開封防止部材の３部材の上面側周縁部には段部が形成され、肩パーツ、開封防止部材、キャップの３部材の内周縁部は、前記段部に係合する関係に形成されており、開封防止部材と肩パーツの間の係合強度が最弱に設定されていることを特徴とする請求項１又は２記載のボトル容器。
【請求項４】
容器の外形が楕円筒形状等の非円筒形であることを特徴とする請求項１〜３のいずれかに記載のボトル容器。
【請求項５】
肩パーツが容器本体に組み付けられた状態において、肩パーツの円筒体の天井面が容器本体の首部開口上縁に接触する深さに形成されることにより、過剰回り防止機能を果たす関係に設けられていることを特徴とする請求項１〜４のいずれかに記載のボトル容器。
【請求項６】
肩パーツの拡幅部上面に突起部を形成し、開封防止部材下面及び／又はキャップ内部に突起部を形成し、両突起は起立面同士が螺着による締め付け終端で接触する位置関係に設けられていることを特徴とする請求項１〜５のいずれかに記載のボトル容器。
【発明の詳細な説明】
【技術分野】
【０００１】
本発明は、開封防止部材を備えるとともに、容器本体に肩パーツを装着したボトル容器に関する。
【背景技術】
【０００２】
従来から、容器が既に開封済みであるかどうかを容易に確認できるようにキャップ部分に不正開封防止部材を設けることが行われており、また、容器、特に、化粧品のような美観を必要とする容器においては、外観の向上やデザインの多様化のために容器本体に肩パーツを装着することも行われている。
【０００３】
そして、このような開封防止部材と肩パーツを用いたボトル容器としては、容器本体の肩部から突出して形成された首部に着脱自在にねじ込まれるキャップの装着側開口周りに、切り離し可能に形成された繋ぎ片を介して、キャップの外方へ張り出して一体的に係止片を形成し、肩部に、前記キャップとは別体で装着され、ねじ込まれたキャップの係合片にこれを隠蔽しつつキャップのねじ込み方向から係合して、はずれるキャップに対して係止片を肩部に保持して繋ぎ片を切離する肩パーツを設けたものがある（特許文献１参照）。
ボトル容器の容器本体Ｂの肩部３から突出させて形成された首部５に着脱自在にねじ込まれるキャップＣの装着側開口縁周りに、切り離し可能に形成された繋ぎ片２１を介して、キャップＣの外方へ張り出して一体的に係止片Ｆを形成し、肩部３に、前記キャップとは別体で装着されて、ねじ込まれたキャップＣの係止片Ｆにこれを隠蔽しつつキャップＣのねじ込み方向から係合して、はずされるキャップＣに対して係止片Ｆを肩部３に保持して繋ぎ片２１を切離させる肩パーツＰを設けて、容器の構成部材に非円形の部材（肩パーツ）を用いた場合であっても、容器の外観を維持するためにいちいち部材の向き合わせをする必要がない、不正開封防止機能を備えたボトル容器が開示されている。
【０００４】
また、上記したボトル容器は、キャップに設けた切り離し可能な繋ぎ片を開封防止部材としたものであるが、キャップとは別体の開封防止部材を設けた容器としては、内容物の排出口が封緘膜で封緘された容器本体と、使用時に容器本体の封緘膜を突き破り排出口を開放する開封手段を有するとともに、開放された容器本体の排出口を被うように容器本体に装着自在なキャップと、キャップ本体と容器本体との間に介在し、開封手段が封緘膜を突き破るのを防止する開封防止部材を設けるものがある（特許文献２参照）。
【特許文献１】特開２００１−１８９７４号公報
【特許文献２】特開平１１−２３６０６４号公報
【発明の開示】
【発明が解決しようとする課題】
【０００５】
しかしながら、上述した特許文献１に開示されたようなボトル容器では、開封後、キャップ下部には分離された繋ぎ片の跡が残るため、キャップの美観を損ねるという問題があり、容器本体に螺合する円筒体を別途設ければならないような非円形のキャップの場合には、このような開封防止部材を設けることは困難であるという問題がある。さらに、係止片は、肩パーツに隠蔽されているので、外観上は未開封か否か不明な状態であるという問題がある。また、さらに容器本体の首部開口には、注出開口が形成された注出カバーが別体に設けられる構造であるので、溶液の充填、注出カバーの装着、肩パーツの装着、キャップの装着と４工程を必要とし、煩雑である。
【０００６】
また、上述した開封防止部材をキャップと別体にした特許文献２に開示された容器では、開封防止手段は、キャップと別体であるので、前記したボトル容器の開封防止部材のような問題はないが、容器本体に薬液等を充填した後の開口部への封緘膜の取り付け、開封防止部材の装着及びキャップの装着をそれぞれ独立して行わなければならないので、工程が複雑となるという問題がある。また、各部材の組付け位置合わせを特定する工夫は施されていない。
封緘膜の取り付け方法としてバージンシールがあるが、バージンシールは開封後に再度熱処理により接着することが可能であり、未開封状態を完全に保証することができない。
成型時に開口部を封緘しておけば、穴を開けて開口した後、元通りに封緘することはできず、未開封状態を保証するために望ましい。その場合、特許文献２のチューブ容器では底部から内容物を充填し、充填後に底部をヒートシールすることが常套手段として可能である。しかしながら、ボトル容器についてはチューブ容器のように底部から充填することができないので、特許文献２の技術を適用することは困難である。
【０００７】
そこで、本発明が解決しようとする技術的課題は、開封防止部材をキャップとは別体に設けて開封防止部材を外して開封して使用を開始する形式のボトル容器であって、薬液等が充填された容器本体に対して、容器本体の開口部の封止と肩パーツの装着、開封防止部材及びキャップの装着を同時に行うことができ、且つ肩パーツの外れ防止機構を備えたボトル容器を提供することである。
【課題を解決するための手段】
【０００８】
本発明は、上部が開口している円筒状の首部を備えた容器本体と、前記首部の外周面に螺着する円筒体を上面に備えた肩パーツと、開封手段を備え、前記円筒体の外周面に螺着するキャップと、前記肩パーツとキャップとの間に介装される開封防止部材とからなるボトル容器であって、前記肩パーツと容器本体の係合関係に逆転防止手段を設けることにより、両者が螺着した後は安定した固着接合が維持されるとともに、前記円筒体の先端が封止されている構造を備えることによって、前記課題を基本的に解決し、さらに、新たな構成を付加して発明を進化させたものである。
【０００９】
本発明の主な解決手段は次のとおりである。
（１）  少なくとも容器本体、肩パーツ、キャップ、開封防止部材の４つの部材から構成されるボトル容器において、未使用状態では容器本体に肩パーツが螺着し、開封防止部材を介してキャップが螺着されている構成のボトル容器であって、
容器本体は、上部が開口している雄螺旋が形成された円筒状の首部と大径の溶液収容部と該首部と該溶液収容部を連結する肩部とから構成され、該肩部には段部が形成されており、
肩パーツは、外周に雄螺旋、内周に雌螺旋が形成され、先端部に封鎖されている注出口を形成した円筒体と、該円筒体から連続した拡幅部とから構成され、拡幅部の下面に前記肩部の段部に係合する突起状の部材を設け、
キャップは、注出口の封鎖を開口する開封手段と雌螺旋が形成されており、
開封防止部材は、前記開封手段が前記注出口に接触することを防止するスペーサとしての厚さを有し、中央に開口部が形成されたプレート状の短円筒体であることを
特徴とするボトル容器。
（２）  容器本体肩部に形成される段部は、１〜４カ所設けられ、肩パーツの拡幅部下面に設けられる突起状部材は、１〜４個であることを特徴とする（１）記載のボトル容器。
（３）  容器本体、肩パーツ、開封防止部材の３部材の上面側周縁部には段部が形成され、肩パーツ、開封防止部材、キャップの３部材の内周縁部は、前記段部に係合する関係に形成されており、開封防止部材と肩パーツの間の係合強度が最弱に設定されていることを特徴とする（１）又は（２）記載のボトル容器。
（４）  容器の外形が楕円筒形状等の非円筒形であることを特徴とする（１）〜（３）のいずれかに記載のボトル容器。
（５）  肩パーツが容器本体に組み付けられた状態において、肩パーツの円筒体の天井面が容器本体の首部開口上縁に接触する深さに形成されることにより、過剰回り防止機能を果たす関係に設けられていることを特徴とする（１）〜（４）のいずれかに記載のボトル容器。
（６）  肩パーツの拡幅部上面に突起部を形成し、開封防止部材下面及び／又はキャップ内部に突起部を形成し、両突起は起立面同士が螺着による締め付け終端で接触する位置関係に設けられていることを特徴とする（１）〜（５）のいずれかに記載のボトル容器。
【発明の効果】
【００１０】
本発明は、上述したような構成を備えることによって、以下のような本発明に特有の効果を奏するものである。
１．キャップと肩パーツとの間に開封防止部材を配置して、キャップと肩パーツを螺着して一体化した状態で薬液充填後の容器本体に装着することができるので、容器の組付けが１工程で容易にできる。
２．肩パーツと容器本体は逆転を阻害する構造で係合しているので、肩パーツは容器本体に装着した後には、キャップと連動して回転せず、容器本体上に確実に固定される。しかも、逆転防止部材は肩部材の位置決め手段ともなるので、容器の外観を維持するための位置あわせをする必要もない。
３．注出開口が封止された先端部から容器本体の肩部まで一体的に覆う肩パーツを実現することができた。
４．開封防止部材の有無及び、開口部の有無により未使用状態か否かを明確に識別することができる。また、キャップは開封動作による破断部が発生せずきれいである。また、４部材によって、ボトル容器に種々の装飾を付与でき、美観を著しく向上できる。
５．非円筒形容器において、４部材の結合位置合わせができる構造を実現できた。特に、キャップや開封防止部材の形状に制約が無くなり、設計の自由度が向上した。
６．本発明のボトル容器は、液漏れ防止力が高く携帯時なども漏れ事故防止が向上する。
７．肩パーツは外すことができず、完全な未開封状態を保証できる。
【発明を実施するための最良の形態】
【００１１】
本願発明のボトル容器は、少なくとも容器本体、肩パーツ、キャップ、開封防止部材の４つの部材から構成される。未使用状態では容器本体に肩パーツが螺着し、開封防止部材を介してキャップが螺着されている。使用時にキャップと開封防止部材を外し、キャップを再装着することにより、内容液を取り出し、使用が可能となる容器である。
容器本体に充填される充填剤は、液体であって、化粧品や薬液等である。
容器本体への内容液の充填を容器本体の上部開口から行い、肩パーツと開封防止部材とキャップの３部材を組み付けて一体化した組部材を充填後の容器本体に装填することにより、化粧品等を充填した未使用状態のボトル容器を完成することができる。
このボトル容器は、各部材の組み付け位置を正確且つ緩むことなくしっかりと接合できる工夫を凝らしている。容器本体と肩パーツは、締め込みによる組み付け時に、キャップの開封動作時に供回りによる弛み防止機構及びオーバー締め込みによる回りすぎ防止機構とを設けた。肩パーツと開封防止部材とは、キャップの肩パーツへの螺着により挟持されるのが基本構成であり、更に、肩パーツと開封防止部材の対向面にそれぞれ当たり部材を突出させて、締め込み方向の位置合わせ機構を付加することができる。キャップは、スペーサの役割を果たす開封防止部材を介して肩パーツと螺着される。
開封時にはキャップのみが外れるか、キャップと開封防止部材とが外れるような相互の係合強度に設定した係合構造に工夫されている。
容器の形状は、容器本体、肩パーツ、逆転防止部材及びキャップの形状は特に限定されない。例えば、容器本体の形状として、円形、長円形、多角形等の横断面形状のものが挙げられ、キャップの形状もこれらの容器本体の形状と同様とすることもできるし、異なる形状を採用することもできる。本発明は、全体の横断面が楕円形などの非円形の容器に適用することができるので、これらの各部材の外形輪郭をほぼ同一のものとすると、ボトル容器が一体的な外観となるので好ましい。
各部材の形態は次のとおりである。
【００１２】
容器本体は、上部が開口している雄螺旋が形成された円筒状の首部と大径の溶液収容部と該首部と該溶液収容部を連結する肩部とから構成されている。
肩部は、基本的にほぼ平面状に形成され、該平面部には１〜４カ所の階段状の段部が形成されている。この階段状の段部は、容器の組み付け時に肩パーツの下面に設けられた突起状部材が階段の高い面を通り越して段部に落ち込み、逆転しても、段部の壁面と肩パーツの突起状部材が当接して、逆転防止機能を発揮する。この段部は、肩パーツと容器本体との組付け位置規制としての役割もある。容器本体の肩部と肩パーツとの弾性変形の範囲内で段部の壁と突起状部材との当接長が決定される。これらの部材の材質としては、合成樹脂が主である。
首部に螺旋状の螺旋山を設ける場合、容器本体の射出成形型は、容器の長手方向に２分割した型を用いるのが普通である。この２分割型を利用して、肩段部を設ける場合は、型の移動の妨げにならないように、分割型の合わせ面あるいは移動方向に合わせることとなるので、９０度ずつ変位した位置のいずれかであって１〜４カ所設けられる。
また、容器本体の肩部周縁に段部を設けることができる。この肩部周縁の段部に肩パーツの拡幅部の縁が被り合わされて、両部材の結合の確実性を向上させるために機能する。特に、楕円形などの場合は、この結合によって、相互の結合位置が固定される。
首部の長さは、肩パーツの円筒体の天井と接する程度の長さとすることが好ましい。
円筒状に設けられた首部の開口から内容液を充填し、使用時には小さなノズル状の穴から取り出すために、開口には特許文献１にあるような注出口カバーなどが従来は装着されるが、本発明はこのような注出口カバーを個別に設けることなく、肩パーツに一体的に形成しているので、首部の開口からの液漏れが生じないように工夫する必要がある。その一手段として、肩パーツ円筒体天井に垂下して設けた短筒の外周面が容器首部の内壁に密接するように設計する。また、首部の長さと肩パーツの円筒体の長さを調整して、首部の開口が円筒体の天井によって封鎖される関係に設計することもできる。これらの手段を組み合わせることもできる。
また、肩パーツをねじ込んだ際に、肩パーツの円筒体の天井が首部の開口縁に密着したときに、前記肩パーツの拡幅部下面の突起状部材が容器本体の肩部の段部の壁面と当接する位置になるように両者の位置関係に設計すると、肩パーツの締め込みは開口縁を接触することにより規制され、逆転は容器本体の段部によって規制されることとなるので、ガタツキのないしっかりとした結合が完成する。更に、楕円などの非円筒形の場合は、容器本体肩部の外周縁の段部との係合によって更に結合の安定性が向上する。したがって、内容液の液漏れの危険が小さくなる。
容器本体の材質は、剛性の合成樹脂性が用いられるが、肩部から首部はある程度剛性が必要であるが、溶液収容部は軟質でも可能である。
【００１３】
肩パーツには、外周に雄螺旋、内周に雌螺旋が形成され、先端部に封鎖されている注出口を形成した円筒体と、該円筒体から連続した拡幅部とから構成され、拡幅部の下面に前記容器本体の肩部の段部に係合する突起状の部材を設けられている。
本願発明の肩パーツは、容器本体の開口を封鎖して内容液の取り出し穴となる部位と、キャップの被着部となる部位を機能構成要素として備えるものである。加えて、未使用状態にあっては、開封防止部材をキャップとの間に介装して挟持するものである。また更に、本発明では、取り出し穴は未使用状態では封止されている。
液漏れ防止の確実性を高めるために、この肩パーツの円筒体の天井部に容器本体首部の肉厚分小径にした短筒を垂下形成する。この構成は、両者の変形などによる隙間の発生にも柔軟に対応できるようにすることができる。即ち、肩パーツの円筒体の内周壁とこの短筒によって容器本体の首部の円筒上端側が挟持されるので、密着性を保持することができる。更に、容器本体の開口縁との密着性の確保の１手段として、前記したとおり、肩パーツの円筒体の長さと容器本体の首部の長さを密着する程度に設定することもできる。
円筒体の外周には、雄螺旋を形成して、キャップの被着部としている。
円筒体の先端には脆弱に成型して封止した注出口を設ける。本発明は、スペーサとしての開封防止部材を採用しているので、未使用状態ではキャップ内面に設けた貫通部材と注出口が接触しておらず、未使用状態で漏れ出す可能性はない。使用開始時に貫通孔を形成するようにする。貫通用の器具としてキャップ内部に針状突起を形成し、開封防止部材を除去し、再度キャップを螺着したときに、脆弱な封止が破壊し貫通し開口する。
また、注出口は、小さな穴あるいは円錐状の突出形状の先端に穴として形成される。貫通後には注出口外面は、キャップ内面に密着するように設定して、密封されることが好ましい。また、前記キャップに設けられた針状突起は、貫通孔に進入するので密封作用の向上に寄与する。
肩パーツは、円筒体からの下部に拡幅部を構成して容器本体の肩部に被着できるようにする。拡幅部の外縁は容器本体の肩部の外縁に合わせる。
この拡幅部の下面には、容器本体の肩部の段部に当接して逆転防止機能を発揮する突起状の部材を設ける。この突起状部材は１〜４カ所設けられる。１８０度あるいは９０度間隔で設けられる。拡幅部の上面には、突起を１乃至２個付加することができる。これは、上側の開封防止部材あるいはキャップの回り止め用のストッパーとして機能する。あるいは位置決め凹部を設けて、対向部材側に設けた凸部と係合させることもできる。
この拡幅部の上縁には段部を形成して上側の開封防止部材あるいはキャップの下縁と係合させることができる。楕円などの非円形の場合は、この係合によっても左右の回り止め機能が発揮され、上下の係合位置を固定することができる。
拡幅部は全体として中央部がやや膨らんだ円盤形とし、装着時にはやや変形して固定位置に固着できるように弾性をもつ材質、形状とする。
肩パーツと容器本体はガタツキ無く強固に固着し、上側の開封防止部材あるいはキャップの外し動作に伴い供回りしないような固着強度設計とする。
【００１４】
キャップは、注出口の封鎖を開口する開封手段と雌螺旋とが形成されている。
開封手段として針状や錐状の突起が設けられる。開封防止部材を除去し使用開始時に封止してある肩パーツの注出口に進入し、貫通して内容液を取り出し使用可能にする。
また、キャップを締めた状態では、開封手段が進入状態となり、液漏れ防止効果がある。また、ボトルが倒れたときなどに内容液が漏れないように、貫通後の注出口に密着する様にキャップ内面の高さを設定することができる。更に、注出口の回りを取り囲むように土俵状の膨らみを形成するとより漏出防止効果が向上する。
キャップは、肩パーツと螺着による接合を基本とする。位置あわせは、螺旋の設計によってもできるが、回り過ぎや緩み止めなど締まり位置の正確性、ロックに確実性を向上させるために更に工夫を加えることができる。一つは、肩パーツの拡幅部の上面に設けられた突起に当たり締め込み時にストッパーとなる突出部材を設けることができる。肩パーツ拡幅部上面に凹部が形成された場合は、この突起が填り込んで、位置固定される。
更に、組み付け装着時には、肩パーツ下端と容器本体肩部上面が当接するこによっても、締め込み抵抗が大きくなるので、締め込み過ぎを防止して、位置決め機能も発揮することとなる。
あるいは、肩パーツや開封防止部材の上縁に段部が設けられた場合は、この段部にキャップの下縁が係合するようにできる。楕円形などの非円形の場合は、係合状態が位置決め作用も奏することとなる。非円形の段部の場合は、開封動作の初期には係合を解く力がかかるので、肩パーツと容器本体の係合力よりも小さく設定する必要がある。段部を浅くすることやキャップの下縁に緩い外開きのテーパを形成する等の手段を施すことができる。
キャップが締められた状態で強く係合し、安易に緩まないようにすることは、特に携帯用などの化粧品容器において、漏れ防止として重要な要素である。
【００１５】
開封防止部材は、前記開封手段が前記注出口に接触することを防止するスペーサとしての高さを有し、中央に開口部が形成されたプレート状の短円筒体とする。本発明の開封防止部材は、未使用状態と使用状態を一見して区別できるように、外観できるように設け、使用時には除去するようにする。そのため、外縁は下部の肩パーツ、上部はキャップと一致あるいは係合するようにする。
最初の開封時に、キャップと一緒に外れるか、あるいは、キャップのみが外れるようにするかによって、キャップとの係合強度を調整する。円筒形の場合は、キャップのみが外れるようにすることが容易である。楕円形などの非円形の場合は、上縁に深い段部を形成してキャップとの係合力を強くして、キャップと一緒に外れるようにすることができる。更に、係合強度を高めるために、段部から長辺部に周壁を立ち上げることができる。
また、締め込み位置特定のために、肩パーツの拡幅部上部の突起に当接する突起を下面に設けることもできる。
材質は金属や合成樹脂を用いることができる。合成樹脂の方が好ましい。
【００１６】
本発明のボトル容器は、容器本体に内容液を充填した後、肩パーツと開封防止部材とキャップを一体化した上側部材を１工程で組み付けることができるものである。
上側の一体化は、キャップに開封防止部材を組み合わせ、その後肩パーツに螺着することにより可能である。この一体化は、容器の各パーツの製造工程に引き続き行うことができるので、内容液のボトリング工程では、この一体化した上側部材を同時に容器本体に組み付けることができる。
この場合、上側に一体化及び容器本体との組み付け作業においては、肩パーツの拡幅部の上面に設けた突起と開封防止部材の下面に設けた突起との当接及び開封防止部材の上面に設けた突起とキャップの下方に設けた突起との当接は、上側部材の一体化作業時及び一体化した上側部材を容器本体に組み付け作業時に必要となる締め込み方向に力を伝える部材として機能することができる。
ボトル容器は、合成樹脂製とすることが好ましく、硬質系であることが好ましい。肩パーツの装着にあっては、容器肩部あるいは肩パーツの拡幅部の一方あるいは双方が弾性変形して、係合位置に納まる必要があるので、少なくとも、一方が他方よりも弾性変形が大きくなるようにする。また、キャップ部材の材質は、肩パーツの素材よりも硬質系であることが望ましく、特に、封止してある注出口を貫通する程度の固さをもった合成樹脂製とすることが望ましい。
【００１７】
[実施例]
本発明の一実施例であるボトル容器を図１乃至図８に基づいて説明する。
図１は、本実施例のボトル容器であって、その一部を断面で示した正面図であり、図２は、容器本体であって、（ａ）は、上面図、（ｂ）は、正面図であり、図３は、肩パーツであって、（ａ）は、上面図、（ｂ）は、縦方向の断面図、（ｃ）は底面図であり、図４は、キャップであって、（ａ）は、上面図、（ｂ）は、縦方向の断面図、（ｃ）は、底面図であり、図５は、開封防止部材であって、（ａ）は、上面図、（ｂ）は、縦方向の断面図、（ｃ）は、底面図であり、図６は、キャップと開封防止部材と肩パーツを一体化した上側部材の図であって、図７は、ボトル容器の開封状態を縦方向の断面図である。図８は、容器本体の斜視図である。
本実施例のボトル容器は、合成樹脂製であり、全体として硬質系である。本実施例では、肩パーツはやや軟質系の素材を用いて成型し、容器本体への装着時には、肩パーツの拡幅部が弾性変形して、組み付け時の装着ができるように構成している。キャップの材質は肩パーツよりも硬質素材を用いて成型し、注出口の封止を貫通して開口できるように構成した。
【００１８】
本実施例のボトル容器１は、図１に示すように、円筒状の首部２１を備えた容器本体２と、前記円筒状の首部２１の外周面に螺合する円筒体３１を備えた前記容器本体２の上面部に装着される肩パーツ３と、開封手段４３を備えた前記円筒体３１の外周面に螺合するキャップ４と、前記肩パーツ３とキャップ４との間に介装される開封防止部材５とから構成されている。
【００１９】
容器本体２は、図２に示すように、収容部２５を有する横断面が長円形であって、上面中央には円筒状の首部２１が突設されており、首部２１の上部は開口し、その周側面には雄ネジ条２１ａが形成されている。また、上面には、平坦肩部２２と首部２１基端から周縁に向かって傾斜した傾斜肩部２３とが交互にそれぞれ２つ形成され、周縁には、肩パーツ３の装着時に、肩パーツ３の周縁に設けられている段部下面が当接する段部２４が形成されている。平坦肩部２２と傾斜肩部２３の境は階段状に形成されるが、この実施例では、短辺側の階段はテーパが付けられたテーパ段差部２７ａ、２７ｂが形成され、締め込み動作時の肩パーツ側の突起が案内されて乗り越えられるようにする。一方、左右の長辺部の階段は垂直壁とされた垂直段差部２６ａ、２６ｂとすることにより、肩パーツ側の逆転防止部材３８が落ち込んだときに戻りに大きな抵抗が発生し、肩パーツの外れ防止、即ち逆転防止機能が発揮されるようにする。
図８に容器本体２の斜視図を示し、容器肩部の形状を簡略に示した。
【００２０】
肩パーツ３は、図３に示すように、周縁に段部３１を設けたやや膨らんだ円盤状の浅い中空体であって、外側が板状の中空体の中央部に容器首部を覆うように円筒体３２を突出して、容器本体２の上面を覆うように、容器本体２とほぼ同一の外形輪郭を備えている。段部３１は、キャップ４の端部との係合を弱くするために、浅く形成されるとともに、側面を凸円弧状としている。
【００２１】
円筒体３２は、円筒部３３と、円筒部３３に一体に突出形成された先端が脆弱に封止された円筒状のノズル部３４とで構成され、円筒部３３の外周面には、キャップを螺着させる雄ネジ条３３ａが形成され、内周面には、容器本体２の首部２１に螺着する雌ネジ条３３ｂが形成されている。また、円筒部３３の内部には、容器本体２の首部２１と円筒部３３が螺着した際に、首部２１の開口に侵入して首部２１に密着する円筒状の短筒３５が設けられ、その内側には、ノズル部３４に連通する開口に沿ってボール押さえ３６が設けられている。ボール押さえ３６は攪拌の目的で容器内に入れたボールが開口部の裏側に密着し、内溶液の注出を阻害することがないように設けている。
【００２２】
また、肩パーツ３の上面には、円筒部３３の基端部に沿って２つ突条３７、３７が点対称の位置に設けられ、内面には、肩パーツ３を容器本体２に螺着した際に、容器本体２上面に設けられている垂直段差部２６ａ、２６ｂと協働して逆方向（抜き出し方向）の回転を阻止する２つの突出した板状の逆転防止部材３８、３８が点対称の位置に設けられている。
【００２３】
キャップ部材４は、図４に示すように横断面が長円形で、開口端に向かって拡開する周壁４１を備えた有底の筒状体であって、底部４２内面の中央部には、開封手段である円錐状突起４３が設けられ、この円錐状突起４３を囲むように円筒体４４が設けられている。円筒体４４の内周面には、肩パーツ３に突設されている円筒部３３に螺合する雌ネジ条４４ａが形成されている。また、円筒体４４の長さは、キャップ４の周壁４１の長さよりも短くされており、開封防止部材５を取り去った後に、キャップ４をねじ込んで肩パーツ３に螺着した際に、肩パーツ３の円筒体３２基端部に設けてある２つ突条３７、３７に当接して過剰のねじ込みを阻止するように、円筒体４４の外周面には、端部から延出する２本の棒状体４５、４５が点対称の位置に設けられている。
キャップ周壁４１の下縁は、肩パーツの周縁に設けた段部３１に当接する。非円形である本実施例では、強い係合力が得られ、しっかり固定して緩み止め作用を発揮する。
【００２４】
開封防止部材５は、図５に示すように長円形の平板部５１と外周縁に形成された段部５２が形成され、平板部５１の中央には、肩パーツ３の円筒体３２が挿通できる開口５３が形成されている。
平板部５１の上面の長手方向両端部には、キャップ内面に合致する円弧状の突条５４、５４が段部５２に沿って突設され、段部５２下方には、容器本体２にキャップ４を装着した際に、キャップ４に設けている円錐状突起４３が肩パーツ３の封止されているノズル部３４に入り込まない、すなわち、開封させないように、スペーサとなる外周筒部５５が全周にわたって設けられている。
【００２５】
また、開口５３近傍の平板部５１内面には、キャップ４と開封防止部材５及び肩パーツ３を一体化して容器本体２に装着する際に、肩パーツ３の円筒部３１基端部に沿って設けてある２つ突条３７、３７にそれぞれ当接して、肩パーツの空転を防止する２つ突起５６、５６が点対称の位置に設けられている。
外周筒部５５の下縁が肩パーツ３の段部３１と当接し、係合する関係に設けられている。
【００２６】
次に、本実施例のボトル容器について組立手順について説明する。図６にキャップ４と開封防止部材５と肩パーツ３の上側部材を一体化した状態が示されている。
まず、キャップ４の開口端部から、開封防止部材５を挿入すると、開封防止部材５の周縁の段部５２がキャップ４の開口端部に当接するとともに、上面に設けている円弧状の突条５４、５４がキャップ４内に嵌合し、キャップ４に対して回転不能に装着される。次いで、開封防止部材５の開口５３から肩パーツ３の円筒体３２をキャップ４の円筒体４４にねじ込むと、開封防止部材５の外周筒部５５の下縁が肩パーツ３の段部３１に当接するとともに、開封防止部材５の下面に設けてある突起５６、５６は、肩パーツの円筒部基端に沿って設けられている突条３７、３７と係合して回動を阻止する。そのため、肩パーツ３のノズル部３４先端にはキャップ４内に設けた円錐状突起４３の先端が侵入しない、すなわち、開封を阻止するようにキャップ４に螺着される。
【００２７】
このように、キャップ４と肩パーツ３は、開封防止部材５を挟持して一体化（図６参照）するので、容器本体２に薬液等を充填した後、肩パーツ３及び開封防止部材５とともに一体化したキャップ４を容器本体２の首部２１にねじ込むと、肩パーツ３の外周下端が容器本体２の傾斜肩部２３ａ、２３ｂ上面に当接しながら、肩パーツ３が弾性変形して、肩パーツ３の板状の突出した逆転防止部材３８，３８が垂直段差部２６ａ、２６ｂに落ち込み、それと同時に肩パーツ３の外周下端は容器本体２の肩部の段部２４に当接して、位置決めされてこの状態で装着される。
締め込みすぎによる位置ずれ防止は、円筒体３３の内天井が容器本体の首部の上端に接して止まるように、円筒体３３に内側の深さを設定し、規制部材の一つとして機能させている。さらに、肩パーツ３の外周下端が容器本体２の段部２４に当接するので、ねじ込み動作に伴う肩パーツの下方への運動は抵抗を受けて、回しすぎによる位置ずれ防止作用を発揮する。
【００２８】
このようにして組み立てられたボトル容器１を使用する時には、容器本体２から取り外す方向にキャップ４を回すと、開封防止部材５は、キャップに対して回動不能に装着されているので、キャップ４とともに取り外される。この時、肩パーツ３の逆転防止部材３８、３８は、容器本体２の肩部２３に当接するので、キャップ４とともに回動せずに容器本体２に装着されたままの状態となる。また、容器が楕円形であるので回り防止規制となる。次いで、キャップ４から開封防止部材５を抜き出した後、再びキャップ４を肩パーツ３の円筒体３２にねじ込むと、肩パーツ３の周縁に設けた段部３１にキャップの周壁４１の下縁が当接するとともに、キャップ４の円筒体４４から延出した棒状体４５、４５が肩パーツ３の円筒体基端に沿って設けられた突条３７、３７に当接してねじ込みを停止させる。この際、図７に示すように、キャップに設けてある円錐状突起４３がノズル部３４先端の封止部３４ａを貫通して、ノズル部が開封された状態となる。
【００２９】
次いで、キャップ４を取り去る方向に回転させると、肩パーツ３の段部３１は浅く、側面には凸円弧状されており、キャップ４の周壁４１はテーパ状となっているので、肩パーツとキャップの係合が外れて、キャップを取り出せる。
【００３０】
また、使用後、廃棄する場合には、肩パーツ３を取り去る方向に強く回転させると、逆転防止部材３８、３８は、容器本体２の垂直段差部２６ａ、２６ｂを弾性変形して乗り越えるか、または、容器本体肩部を破断して、容器本体２と肩パーツ３との係合を外し、肩パーツ３を取り出すことができる。
なお、本実施例では、各パーツの外周は同一あるいは連続するように自然な形状に設計されている。
【００３１】
以上のように、本発明のボトル容器は、上部が開口している円筒状の首部を備えた容器本体と、前記首部の外周面に螺着する円筒体を上面に備えた肩パーツと、開封手段を備え、前記円筒体の外周面に螺着するキャップと、前記肩パーツとキャップとの間に介装される開封防止部材とからなり、前記肩パーツは、容器本体に螺着した際に逆転を防止する逆転防止手段を下面に備えるとともに、前記円筒体の先端は封止されているので、薬液等が充填された容器本体に対して、容器本体の開口部の封止と肩パーツの装着及びキャップの装着を同時に行うことができる。４部材を一体感があるようにスムーズに設計することができ、また、開封防止部材を取り除いても痕跡は残らずきれいに使用することができ、優れた美観を与える設計が可能である。また、使用後は、各パーツを分離できるので、材質毎に分別収集ができ、リサイクル使用など環境負荷の小さい容器を提供できる。
【図面の簡単な説明】
【００３２】
【図１】本実施例のボトル容器であって、その一部を断面で示した正面図である。
【図２】本実施例の容器本体であって、（ａ）は、上面図、（ｂ）は、正面図である。
【図３】本実施例の肩パーツであって、（ａ）は、上面図、（ｂ）は、縦方向の断面図、（ｃ）は、底面図である。
【図４】本実施例のキャップであって、（ａ）は上面図、（ｂ）は、縦方向の断面図、（ｃ）は、底面図である。
【図５】本実施例の開封防止部材であって、（ａ）は、上面図、（ｂ）は、縦方向の断面図、（ｃ）は底面図である。
【図６】キャップと開封防止部材と肩パーツを組み付けた図である。
【図７】本実施例のボトル容器の開封状態を示す縦方向の断面図である。
【図８】本実施例の容器本体の斜視図である。
【符号の説明】
【００３３】
１  ・・・ボトル容器
２  ・・・容器本体
２１  ・・首部
２１ａ・・雄ネジ条
２２ａ、２２ｂ  ・・平坦肩部
２３ａ、２３ｂ  ・・傾斜肩部
２４  ・・段部
２５  ・・収容部
２６ａ、２６ｂ  ・・垂直段差部
２７ａ、２７ｂ  ・・テーパ段差部
３  ・・・肩パーツ
３１  ・・段部  
３２  ・・円筒体
３２ａ・・雄ネジ条
３２ｂ・・雌ネジ条
３３  ・・円筒部
３４  ・・ノズル部
３５  ・・短筒
３６  ・・ボール押さえ
３７  ・・突条
３８  ・・逆転防止部材
４  ・・・キャップ
４１  ・・周壁
４２  ・・底部
４３  ・・開封手段
４４  ・・円筒体
４４ａ・・雌ネジ条
４５  ・・棒状体
５  ・・・開封防止部材
５１  ・・平板部
５２  ・・段部
５３  ・・開口
５４  ・・突条
５５  ・・外周筒部
５６  ・・突起
【図１】
2006193202.tif 000003
【図２】
2006193202.tif 000004
【図３】
2006193202.tif 000005
【図４】
2006193202.tif 000006
【図５】
2006193202.tif 000007
【図６】
2006193202.tif 000008
【図７】
2006193202.tif 000009
【図８】
2006193202.tif 000010